(57)【要約】【課題】支柱部の傾きや外れを防止して、縦向き挟持部位や横向き挟持部位に取付固定できて、ガタツキ無く支柱部を配設できるスタンションを提供すること。【解決手段】挟持部位１を挟持して取付固定されるクランプ部１１と、クランプ部の保持部２８，３３に保持される支柱部４０と、を備える。クランプ部は、挟持部位を挟持可能な押圧部１９，１３を有して配設される一対の対向腕部１２，１８と、連結腕部２１と、を有する略コ字形として、支柱部を嵌挿可能な内周形状を有したパイプ材５から形成される。保持部は、対向腕部２８からなる縦向き挟持部位用の縦向き用保持部２８と、連結腕部２１からなる横向き挟持部位用の横向き用保持部３３と、からなり、支柱部の下端を挿入可能な挿入口２８ａ，３３ａを開口させ、かつ、止めねじ３０，３５を設けて構成される。【選択図】図１
0003178781.tif 000002
【実用新案登録請求の範囲】
【請求項１】
挟持部位を挟持して該挟持部位に取付固定されるクランプ部と、該クランプ部の保持部に保持される支柱部と、を備えて構成されるとともに、
前記保持部が、前記クランプ部を上方に張り出した縦向き挟持部位と水平方向に張り出した横向き挟持部位とに固定させた際に、共に、前記支柱部を上方へ突出させるように保持可能に構成されるスタンションであって、
前記クランプ部が、前記挟持部位を挟持可能な押圧部を有して対向するように配設される一対の対向腕部と、該対向腕部相互を連結する連結腕部と、を有する略コ字形として、前記支柱部を嵌挿可能な内周形状を有したパイプ材から形成され、
前記保持部が、
少なくとも一方の前記対向腕部からなる前記縦向き挟持部位用の縦向き用保持部と、前記連結腕部からなる前記横向き挟持部位用の横向き用保持部と、の二種類を有して構成されるとともに、それぞれ、
前記対向腕部と前記連結腕部との交差部位付近に、前記縦向き用保持部と前記横向き用保持部とに対してそれぞれ前記支柱部の下端を挿入可能な挿入口を開口させ、かつ、
嵌挿時の前記支柱部の外周面を、前記縦向き用保持部と前記横向き用保持部とのそれぞれの内周面に押し付けつつ止め可能な止めねじ、を設けて構成されていることを特徴とするスタンション。
【請求項２】
前記縦向き用保持部が、一対の前記対向腕部の両方に、配設されていることを特徴とする請求項１に記載のスタンション。
【請求項３】
前記縦向き用保持部と前記横向き用保持部とが、それぞれ、嵌挿時の前記支柱部の下端面に当接して支持可能な位置決め部を配設させて構成されていることを特徴とする請求項１若しくは請求項２に記載のスタンション。
【請求項４】
前記止めねじが、前記縦向き用保持部と前記横向き用保持部とのそれぞれの軸方向に沿って、複数配設されていることを特徴とする請求項１乃至請求項３のいずれか１項に記載のスタンション。
【請求項５】
前記支柱部が、前記保持部に保持され、かつ、前記保持部から上方に延びる本体部と、該本体部から軸直交方向に突出して、手摺を取付可能な手摺取付部と、を備え、
該手摺取付部が、
前記手摺の端部の組付孔に挿入可能に前記本体部から突出する突出杆と、
組付時の前記組付孔への挿入と組付後の抜け止めとを可能とするように、前記突出杆の先端部位の軸方向に沿う平行姿勢と、前記先端部位の軸直交方向となる直交姿勢とに回動可能に、前記突出杆の先端部位に回動可能に軸支されるストッパ片と、
を備えるとともに、
前記突出杆が、前記本体部から突出する横杆部と、該横杆部の先端から上方に屈曲して延び、先端部位に前記ストッパ片を軸支させた縦杆部と、を備えて構成されていることを特徴とする請求項１乃至請求項４のいずれか１項に記載のスタンション。
【請求項６】
前記保持部が、前記止めねじの配置位置近傍に、嵌挿時の前記支柱部の有無を確認可能な確認窓を開口させていることを特徴とする請求項１乃至請求項５のいずれか１項に記載のスタンション。
【考案の詳細な説明】
【技術分野】
【０００１】
本考案は、作業者の安全のための仮設用の手摺やロープ等を円滑に配設できるように、建設現場等のパラペットや鉄骨に取付固定するスタンション（仮設用の支柱）に関する。
【背景技術】
【０００２】
従来、この種のスタンションとしては、挟持部位を挟持して挟持部位に取付固定されるクランプ部と、クランプ部の保持部に保持される支柱部と、を備えて構成されていた（例えば、特許文献１参照）。そして、このスタンションでは、クランプ部を、上方に張り出した縦向き挟持部位と水平方向に張り出した横向き挟持部位とに固定させても、保持部が、共に、支柱部を上方へ突出させるように保持可能に構成されていた。
【０００３】
すなわち、このスタンションでは、クランプ部が、コの字形本体と、締め付け押圧用の押しボルトと、を備えて構成されていた。コの字形本体は、一対の脚部と、脚部相互を連結する橋渡し部と、を備えたコ字形の側板を二枚備え、そして、これらの二枚の側板が、対向した脚部の先端相互を連結させて構成されていた。押しボルトは、一方の脚部相互の内側に螺合されていた。支柱部は、コの字形本体の対向する一対の脚部の一方と、橋渡し部と、に保持されるように構成されていた。
【０００４】
具体的には、支柱部には、軸直交方向に突出する出退自在係止ピンが、軸方向に沿って複数配設され、脚部と橋渡し部との支柱部を保持する保持部には、出退自在係止ピンを挿入させて係止する被係止孔が複数形成されていた。
【０００５】
このスタンションでは、クランプ部を上方に張り出した縦向き挟持部位に固定させた際には、脚部の保持部における複数の被係止孔に、それぞれ、出退自在係止ピンを挿入させて、支柱部を上方に延びるように保持していた。また、クランプ部を水平方向に張り出した横向き挟持部位に固定させた際には、橋渡し部の保持部における複数の被係止孔に、それぞれ、出退自在係止ピンを挿入させて、支柱部を上方に延びるように保持していた。
【０００６】
なお、他のスタンションでは、支柱部を、クランプ部に対し、角度を変えて止めるようにして、クランプ部を、上方に張り出した縦向き挟持部位と水平方向に張り出した横向き挟持部位とに固定させても、共に、支柱部を、角度調整して上方へ突出させるように配設するスタンションもあった（例えば、特許文献２参照）。
【先行技術文献】
【特許文献】
【０００７】
【特許文献１】特開平６−１０８６４９号公報
【特許文献２】実用新案登録第３０３２４４４号公報
【考案の概要】
【考案が解決しようとする課題】
【０００８】
しかし、従来の特許文献１に記載のスタンションでは、支柱部から突出する二つの係止ピンを、クランプ部側の対向する二つの側板の被係止孔に挿入させて、支柱部が保持される構成であって、係止ピンと被係止孔との嵌め合い精度の誤差により、ガタツキが発生し易く、支持部を安定して配設する点に改善の余地があった。また、コの字形本体の一方の側壁側に、強い力が作用すれば、その側壁側が曲がり、他方の側壁側の被係止孔から係止ピンが外れ、支柱部が保持部から外れてしまう課題もある。
【０００９】
さらに、従来の特許文献２に記載のスタンションでも、回動支点で止めているねじが緩めば、支柱部が回転してしまい、支柱部に組み付けていた手摺が大きく傾くように移動する虞れも生じてしまう。
【００１０】
本考案は、上述の課題を解決するものであり、支柱部の傾きや外れを防止して、縦向き挟持部位や横向き挟持部位に取付固定できて、ガタツキ無く支柱部を配設できるスタンションを提供することを目的とする。
【課題を解決するための手段】
【００１１】
＜請求項１の説明＞
本考案に係るスタンションは、挟持部位を挟持して該挟持部位に取付固定されるクランプ部と、該クランプ部の保持部に保持される支柱部と、を備えて構成されるとともに、
前記保持部が、前記クランプ部を上方に張り出した縦向き挟持部位と水平方向に張り出した横向き挟持部位とに固定させた際に、共に、前記支柱部を上方へ突出させるように保持可能に構成されるスタンションであって、
前記クランプ部が、前記挟持部位を挟持可能な押圧部を有して対向するように配設される一対の対向腕部と、該対向腕部相互を連結する連結腕部と、を有する略コ字形として、前記支柱部を嵌挿可能な内周形状を有したパイプ材から形成され、
前記保持部が、
少なくとも一方の前記対向腕部からなる前記縦向き挟持部位用の縦向き用保持部と、前記連結腕部からなる前記横向き挟持部位用の横向き用保持部と、の二種類を有して構成されるとともに、それぞれ、
前記対向腕部と前記連結腕部との交差部位付近に、前記縦向き用保持部と前記横向き用保持部とに対してそれぞれ前記支柱部の下端を挿入可能な挿入口を開口させ、かつ、
嵌挿時の前記支柱部の外周面を、前記縦向き用保持部と前記横向き用保持部とのそれぞれの内周面に押し付けつつ止め可能な止めねじ、を設けて構成されていることを特徴とする。
【００１２】
本考案に係るスタンションでは、クランプ部を上方に張り出した縦向き挟持部位に固定させた際には、対向腕部からなる縦向き用保持部に対して、所定の挿入口から支柱部を挿入させ、そして、止めねじで締め付ければ、止めねじと縦向き用保持部の内周面とで挟持するように、支柱部を保持できる。また、クランプ部を水平方向に張り出した横向き挟持部位に固定させた際には、連結腕部からなる横向き用保持部に対して、所定の挿入口から支柱部を挿入させ、そして、止めねじで締め付ければ、止めねじと横向き用保持部の内周面とで挟持するように、支柱部を保持できる。
【００１３】
そして、これらの保持態様は、支柱部を嵌挿させた所定の縦向き用保持部や横向き用保持部において、支柱部下端の外周の全周が、縦向き用保持部や横向き用保持部を構成するパイプ材に包まれることから、支柱部が傾くような強い力を受けても、縦向き用保持部や横向き用保持部が対抗できて、支柱部の傾きや外れを防止できる。
【００１４】
また、支柱部は、止めねじと縦向き用保持部や横向き用保持部の内周面とで挟持されることから、ガタツキ無く、保持されることとなる。
【００１５】
したがって、本考案に係るスタンションでは、支柱部の傾きや外れを防止して、縦向き挟持部位や横向き挟持部位に取付固定できて、ガタツキ無く支柱部を配設することができる。
【００１６】
＜請求項２の説明＞
本考案に係るスタンションでは、前記縦向き用保持部が、一対の前記対向腕部の両方に、配設されることが望ましい。
【００１７】
このような構成では、縦向き挟持部位に固定させた際、二つの縦向き用保持部に対して、それぞれ、支柱部を保持させることができて、例えば、縦向き挟持部位の外側に、支柱部を配設させたい場合や、縦向き挟持部位の内側に、支柱部を配設させたい場合でも、どちらにも対応することでき、横向き用保持部の支柱部の保持態様と併せると、３タイプとしたバリエーションの多い保持態様として、支柱部を保持できる。
【００１８】
ちなみに、従来の特許文献１のスタンションでは、橋渡し部と一つの腕部との計２つの保持態様のバリエーションしかない。そのため、従来のものでは、押圧部の操作側を、縦向き挟持部位の外側あるいは内側に統一させて、多数のスタンションを設置するような場合、縦向き挟持部位の外側あるいは内側の一方側だけにしか支柱部を配設させることができなくなって、縦向き挟持部位の外側あるいは内側に自由に支柱部を配設させることができなくなってしまう。
【００１９】
＜請求項３の説明＞
本考案に係るスタンションでは、前記縦向き用保持部と前記横向き用保持部とが、それぞれ、嵌挿時の前記支柱部の下端面に当接して支持可能な位置決め部を配設させて構成されることが望ましい。
【００２０】
このような構成では、支柱部を縦向き用保持部や横向き用保持部に挿入させた際、位置決め部に当てれば、支柱部が位置決めされ、かつ、手を離しても落下しないことから、止めねじの締め付け作業を容易に行うことができる。
【００２１】
＜請求項４の説明＞
本考案に係るスタンションでは、前記止めねじが、前記縦向き用保持部と前記横向き用保持部とのそれぞれの軸方向に沿って、複数配設されることが望ましい。
【００２２】
このような構成では、クランプ部の保持部が、一層、安定して、支柱部を保持できる。
【００２３】
＜請求項５の説明＞
本考案に係るスタンションでは、前記支柱部が、前記保持部に保持され、かつ、前記保持部から上方に延びる本体部と、該本体部から軸直交方向に突出して、手摺を取付可能な手摺取付部と、を備え、
該手摺取付部が、
前記手摺の端部の組付孔に挿入可能に前記本体部から突出する突出杆と、
組付時の前記組付孔への挿入と組付後の抜け止めとを可能とするように、前記突出杆の先端部位の軸方向に沿う平行姿勢と、前記先端部位の軸直交方向となる直交姿勢とに回動可能に、前記突出杆の先端部位に回動可能に軸支されるストッパ片と、
を備えるとともに、
前記突出杆が、前記本体部から突出する横杆部と、該横杆部の先端から上方に屈曲して延び、先端部位に前記ストッパ片を軸支させた縦杆部と、を備えて構成されることが望ましい。
【００２４】
このような構成では、手摺を支柱部に組み付ける際、突出杆の縦杆部の上端のストッパ片を、上下方向に沿わせて、手摺の端部の組付孔に挿入させ、そして、ストッパ片を縦杆部の軸直交方向に回動させれば、抜け不能に手摺を手摺取付部に取り付けることができる。
【００２５】
そして、手摺が、縦杆部を中心として、回転することもできる。そのため、手摺取付部が、単に、支柱部の本体部から軸直交方向に突設される横杆部からなる突出片と、その先端に軸支されるストッパ片と、を設けて構成される場合に比べて、支柱部がその軸周り方向に回転した状態となって保持部に保持されても、組付孔の周縁が突出杆の外周面をかじったり、支柱部自体に手摺が当たったりして、取付不能となる状態を、極力避けて、手摺を取り付けることができて、手摺の取付自由度を向上させることができる。
【００２６】
また、突出杆が、Ｌ字状であり、手摺取付部を利用してロープを張り渡すこととなっても、横杆部に巻き付けつつ張り渡せば、ストッパ片に加えて、縦杆部がロープの抜け止めを図ることができて、安定して、ロープを取り付けることもできる。
【００２７】
＜請求項６の説明＞
本考案に係るスタンションでは、前記保持部が、前記止めねじの配置位置近傍に、嵌挿時の前記支柱部の有無を確認可能な確認窓を開口させていることが望ましい。
【００２８】
このような構成では、支柱部を保持部に嵌挿させた際、確認窓によって、止めねじの部位まで支柱部が嵌挿されていることを確認できることから、確認後、止めねじを締め付けることによって、確実に支柱部を保持部に保持させることができ、止めねじの締め付け作業を効率的に行える。
【図面の簡単な説明】
【００２９】
【図１】本考案の一実施形態のスタンションを縦向き挟持部位に取付固定した状態を示す正面図である。
【図２】実施形態のスタンションにおいて、他の縦向き用保持部に支柱部を保持させた状態を示す正面図である。
【図３】実施形態のスタンションのクランプ部を示す平面図である。
【図４】実施形態のスタンションのクランプ部を示す側面図である。
【図５】実施形態のスタンションを横向き挟持部位に取付固定した状態を示す正面図である。
【図６】実施形態のスタンションの支柱部に手摺を設けた状態と、比較例の支柱部に手摺を設けた状態とを示す平面図である。
【考案を実施するための形態】
【００３０】
以下、本考案の一実施形態を図面に基づいて説明すると、実施形態のスタンション１０は、図１〜５に示すように、挟持部位１，３を挟持して挟持部位１，３に取付固定されるクランプ部１１と、クランプ部１１の保持部２３，２８，３３に保持される支柱部４０と、を備えて構成されている。これらの保持部２３，２８，３３は、クランプ部１１を上方に張り出した縦向き挟持部位１と水平方向に張り出した横向き挟持部位３とに固定させた際に、それぞれ、支柱部４０を上方へ突出させるように保持可能に構成されている。
【００３１】
クランプ部１１は、挟持部位１，３を挟持可能な押圧部１３，１９を有して対向するように配設される一対の対向腕部１２，１８と、対向腕部１２，１８相互を連結する連結腕部２１と、を有する略コ字形としている。これらの対向腕部１２，１８や連結腕部２１は、支柱部４０を嵌挿可能な内周形状を有したパイプ材５から形成されている。
【００３２】
実施形態の場合、パイプ材５は、支柱部４０の円柱状の下端部４２の外形寸法より僅かに大きな内周形状を有した鋼材等からなる四角パイプから形成されて、所定長さの３本のパイプ材５を、鋼板等からなるＬ字状の当板６を利用し、溶接により、コの字状に連連させ、クランプ部１１を形成している。
【００３３】
対向腕部１２の押圧部１３は、ナットを設けてなる雌ねじ部１４と、雌ねじ部１４に雄ねじ部１６を螺合させた押し部材１５と、からなり、対向腕部１８の押圧部１９は、対向腕部１２側の内側面１８ｂから構成されている。
【００３４】
そして、縦向き挟持部位１や横向き挟持部位３を挟持する場合には、押し部材１５を回して、先端の頭部１７を押圧部１９側に接近させれば、押圧部１９と頭部１７とで、挟持部位１，３を挟持でき、その結果、クランプ部１１を挟持部位１，３に取付固定することができる。
【００３５】
なお、頭部１７と押圧部１９との相互の対向面や連結腕部２１の内側面には、挟持部位１，３への傷付け防止用のゴム等からなるクッション材３８が配設されている。
【００３６】
保持部は、対向腕部１２，１８からなる縦向き挟持部位１用の縦向き用保持部２３，２８と、連結腕部２１からなる横向き挟持部位３用の横向き用保持部３３と、の二種類を有して構成されている。
【００３７】
これらの縦向き用保持部２３，２８は、それらを設けた対向腕部１２，１８と連結腕部２１との交差部位付近に、それぞれ支柱部４０の下端部４２を挿入可能な挿入口２３ａ，２８ａを開口させている。挿入口２３ａは、連結腕部２１の内側面２１ｂ近傍における対向腕部１２の軸心と交差する部位に、開口している。挿入口２８ａは、連結腕部２１の外側面２１ａ側における対向腕部１８の軸心と交差する部位に、開口している。
【００３８】
そして、縦向き用保持部２３，２８には、対向腕部１２，１８の外側面１２ａ，１８ａ側に、ナットを設けてなる雌ねじ部２４，２９に螺合する止めねじ２５，３０が配設されている。止めねじ２５，３０は、挿入口２３ａ，２８ａを経て縦向き用保持部２３，２８内に支柱部４０の下端部４２を挿入させた後、締め付けることにより、嵌挿された支柱部４０の下端部４２の外周面４２ａを、縦向き用保持部２３，２８の内周面２３ｂ，２８ｂに押し付けて、下端部４２をずれないように保持して止めることとなる。
【００３９】
そして、これらの止めねじ２５，３０は、それぞれ、対向腕部１２，１８の軸方向に沿って、複数（実施形態では２個）配設されている。
【００４０】
なお、止めねじ２５，２５は、押圧部１３の押し部材１５の配置位置と連結腕部２１との間に配設され、止めねじ３０，３０は、縦向き用保持部２８の連結腕部２１から離れた先端側に配設されている。
【００４１】
また、縦向き用保持部２３，２８には、挿入口２３ａ，２８ａから挿入した支柱部４０の下端面４２ｂと当接して、支柱部４０を支持可能な位置決め部２６，３１が形成されている。位置決め部２６は、押し部材１５の近傍に配設され、位置決め部３１は、対向腕部１８の先端を塞ぐように配設されている。
【００４２】
横向き用保持部３３には、対向腕部１２と連結腕部２１との交差部位付近に、支柱部４０の下端部４２を挿入可能な挿入口３３ａを開口させている。挿入口３３ａは、対向腕部１２の内側面１２ｂ近傍における連結腕部２１の軸心と交差する部位に、開口している。
【００４３】
そして、横向き用保持部３３には、連結腕部２１の外側面２１ａ側に、ナットを設けてなる雌ねじ部３４に螺合する止めねじ３５が配設されている。止めねじ３５は、挿入口３３ａを経て横向き用保持部３３内に支柱部４０の下端部４２を挿入させた後、締め付けることにより、嵌挿された支柱部４０の下端部４２の外周面４２ａを、横向き用保持部３３の内周面３３ｂに押し付けて、下端部４２をずれないように保持して止めることとなる。
【００４４】
止めねじ３５も、連結腕部２１の軸方向に沿って、複数（実施形態では２個）配設されている。
【００４５】
また、横向き用保持部３３には、挿入口３３ａから挿入した支柱部４０の下端面４２ｂと当接して、支柱部４０を支持可能な位置決め部３６が形成されている。位置決め部３６は、挿入口３３ａから離れた連結腕部２１の先端を塞ぐように配設されている。
【００４６】
支柱部４０は、保持部２３，２８，３３に保持され、かつ、保持部２３，２８，３３から上方に延びる円柱状の本体部４１と、本体部４１から軸直交方向に突出して、手摺５０を取付可能な手摺取付部４３と、を備えて構成されている。本体部４１は、剛性を有した鋼管等から形成されている。
【００４７】
手摺取付部４３は、図１，６のＡに示すように、手摺５０の端部５１の組付孔５２に挿入可能に本体部４１から突出する突出杆４４と、突出杆４４の先端部位に設けられるストッパ片４８と、を備えて構成されている。
【００４８】
突出杆４４は、本体部４１から突出する横杆部４５と、横杆部４５の先端から上方に屈曲して延び、先端部位にストッパ片４８を軸支させた縦杆部４６と、を備えて構成されている。
【００４９】
ストッパ片４８は、組付時における手摺５０の組付孔５２への挿入と組付後の抜け止めとを可能とするように、突出杆４４の先端部位となる縦杆部４６の軸方向に沿う平行姿勢（図１の二点鎖線参照）と、縦杆部４６の軸直交方向となる直交姿勢（図１の実線参照）とに回動可能に、縦杆部４６の上端４６ａに回動可能に軸支されている。
【００５０】
縦杆部４６の上端４６ａには、ストッパ片４８の一部を収納可能なスリット４６ｂと、ストッパ片４８を軸支する軸支ピン４６ｃとが配設されている。
【００５１】
そして、ストッパ片４８は、縦杆部４６の軸直交方向となる直交姿勢の場合には、両側の端部４８ａ，４８ｂを縦杆部４６から突出させ、縦杆部４６の軸方向に沿わせる場合には、端部４８ａを縦杆部４６から直線状に延びるように、配設させることとなる。なお、ストッパ片４８は、スリット４６ｂ内での回動が容易なように、軸支ピン４６ｃを挿通させる軸支孔４８ｃを、ストッパ片４８の長手方向に沿う長穴状としている。
【００５２】
実施形態のスタンション１０では、例えば、建築現場等のパラペットにおける上方に張り出した縦向き挟持部位１に、多数固定させて、手摺５０を組み付ける際、図１に示すように、押圧部１３の押し部材１５を回して、対向腕部１２，１８における押し部材１５の頭部１７と押圧部１９とにより、縦向き挟持部位１の外側面１ａと内側面１ｂとを挟持して、クランプ部１１を縦向き挟持部位１に固定させる。ついで、対向腕部１８からなる縦向き用保持部２８に対して、所定の挿入口２８ａから支柱部４０を挿入させ、そして、止めねじ３０で締め付ければ、止めねじ３０と縦向き用保持部２８の内周面２８ｂとで挟持するように、支柱部４０を保持できる。
【００５３】
そして、順次、各スタンション１０のクランプ部１１を、手摺５０の長さ寸法分開けて、縦向き挟持部位１に固定し、固定後、各ストッパ片４８を上下方向に沿わせて組付孔５２内にストッパ片４８を貫通させ、ストッパ片４８を水平方向に回動させて、組付孔５２の周縁をストッパ片４８で係止させれば、手摺５０を建物の屋上に敷設することができる。
【００５４】
また、スタンション１０を、建築現場等のパラペットにおける水平方向に張り出した横向き挟持部位３に、多数固定させて、手摺５０を組み付ける際には、図５に示すように、押圧部１３の押し部材１５を回して、対向腕部１２，１８における押し部材１５の頭部１７と押圧部１９とにより、横向き挟持部位３の上面３ａと下面３ｂとを挟持して、クランプ部１１を横向き挟持部位３に固定させる。ついで、連結腕部２１からなる横向き用保持部３３に対して、所定の挿入口３３ａから支柱部４０を挿入させ、そして、止めねじ３５で締め付ければ、止めねじ３５と横向き用保持部３３の内周面３３ｂとで挟持するように、支柱部４０を保持できる。
【００５５】
そして、順次、各スタンション１０のクランプ部１１を、手摺５０の長さ寸法分開けて、横向き挟持部位３に固定し、固定後、各ストッパ片４８を上下方向に沿わせて組付孔５２内にストッパ片４８を貫通させ、ストッパ片４８を水平方向に回動させて、組付孔５２の周縁をストッパ片４８で係止させれば、手摺５０を建物の屋上に敷設することができる。
【００５６】
そして、これらの保持態様は、支柱部４０を嵌挿させた所定の縦向き用保持部２８や横向き用保持部３３において、支柱部４０の下端部４２の外周面４２ａの全周が、縦向き用保持部２８や横向き用保持部３３を構成するパイプ材５に包まれることから、支柱部４０が傾くような強い力を受けても、縦向き用保持部２８や横向き用保持部３３が対抗できて、支柱部４０の傾きや外れを防止できる。
【００５７】
また、支柱部４０は、止めねじ３０，３５と縦向き用保持部２８や横向き用保持部３３の内周面２８ｂ，３３ｂとで挟持されることから、ガタツキ無く、保持されることとなる。
【００５８】
したがって、実施形態のスタンション１０では、支柱部４０の傾きや外れを防止して、縦向き挟持部位１や横向き挟持部位３に取付固定できて、ガタツキ無く支柱部４０を配設することができる。
【００５９】
また、実施形態のスタンション１０では、縦向き用保持部２３，２８が、一対の対向腕部１２，１８の両方に、配設されている。すなわち、図２に示すように、対向腕部１２，１８における押し部材１５の頭部１７と押圧部１９とにより、縦向き挟持部位１の外側面１ａと内側面１ｂとを挟持して、クランプ部１１を縦向き挟持部位１に固定させて、対向腕部１２からなる縦向き用保持部２３に対して、所定の挿入口２３ａから支柱部４０を挿入させ、そして、止めねじ２５で締め付ければ、止めねじ２５と縦向き用保持部２３の内周面２３ｂとで挟持するように、支柱部４０を保持できる。
【００６０】
すなわち、実施形態では、縦向き挟持部位１に固定させた際、二つの縦向き用保持部２３，２８に対して、それぞれ、支柱部４０を保持させることができて、例えば、図１に示すように、縦向き挟持部位１の外側面１ａ側に、支柱部４０を配設させたい場合や、図２に示すように、縦向き挟持部位１の内側面１ｂ側に、支柱部４０を配設させたい場合でも、どちらにも対応することでき、図５に示す横向き用保持部３３の支柱部４０の保持態様と併せると、３タイプとしたバリエーションの多い保持態様として、支柱部４０を保持できる。
【００６１】
ちなみに、従来の特許文献１のスタンションでは、橋渡し部と一つの腕部との計２つの保持態様のバリエーションしかない。そのため、従来のものでは、押圧部の操作側を、縦向き挟持部位の外側あるいは内側に統一させて、多数のスタンションを設置するような場合、縦向き挟持部位の外側あるいは内側の一方側だけにしか支柱部を配設させることができなくなって、縦向き挟持部位の外側あるいは内側に自由に支柱部を配設させることができなくなってしまう。
【００６２】
さらに、実施形態のスタンション１０では、図１，２，５に示すように、縦向き用保持部２３，２８と横向き用保持部３３とが、それぞれ、嵌挿時の支柱部４０の下端面４２ｂに当接して支持可能な位置決め部２６，３１，３６を配設させて構成されている。
【００６３】
そのため、実施形態では、支柱部４０を縦向き用保持部２３，２８や横向き用保持部３３に挿入させた際、位置決め部２６，３１，３６に当てれば、支柱部４０が位置決めされ、かつ、手を離しても落下しないことから、止めねじ２５，３０，３５の締め付け作業を容易に行うことができる。
【００６４】
さらにまた、実施形態のスタンション１０では、止めねじ２５，３０，３５が、縦向き用保持部２３，２８と横向き用保持部３３とのそれぞれの軸方向に沿って、複数（実施形態では２個）配設されている。
【００６５】
そのため、実施形態では、クランプ部１１の保持部２３，２８，３３が、一層、安定して、支柱部４０を保持できる。
【００６６】
さらに、実施形態のスタンション１０では、支柱部４０が、保持部２３，２８，３３に保持され、かつ、保持部２３，２８，３３から上方に延びる本体部４１と、本体部４１から軸直交方向に突出して、手摺を取付可能な手摺取付部４３と、を備えている。手摺取付部４３は、手摺５０の端部５１の組付孔５２に挿入可能に本体部４１から突出する突出杆４４と、ストッパ片４８とを備えてなる。
【００６７】
ストッパ片４８は、組付時の組付孔５２への挿入と組付後の抜け止めとを可能とするように、突出杆４４の先端部位である縦杆部４６の軸方向に沿う平行姿勢と、縦杆部４６の軸直交方向となる直交姿勢とに回動可能に、縦杆部４６の先端となる上端に回動可能に軸支されている。
【００６８】
突出杆４４は、本体部４１から突出する横杆部４５と、横杆部４５の先端から上方に屈曲して延び、先端部位となる上端４６ａにストッパ片４８を軸支させた縦杆部４６と、を備えて構成されている。
【００６９】
そのため、実施形態では、手摺５０を支柱部４０に組み付ける際、突出杆４４の縦杆部４６の上端４６ａのストッパ片４８を、上下方向に沿わせて、手摺５０の端部５１の組付孔５２に挿入させ、そして、ストッパ片４８を縦杆部４６の軸直交方向に回動させれば、抜け不能に手摺５０を手摺取付部４３に取り付けることができる。
【００７０】
そして、手摺５０が、縦杆部４６を中心として、回転することもできる。そのため、図６のＢに示すように、手摺取付部４３０が、単に、支柱部４０の本体部４１から軸直交方向に突設される横杆部からなる突出杆４４０と、その先端に軸支されるストッパ片４８と、を設けて構成される場合に比べて、支柱部４０がその軸周り方向に回転した状態となって保持部に保持されても、図６のＡに示すように、組付孔５２の周縁が突出杆４４の縦杆部４６の外周面をかじったり、支柱部４０自体に手摺５０が当たったりして、取付不能となる状態を、極力避けて、手摺５０を取り付けることができて、手摺５０の取付自由度を向上させることができる。
【００７１】
ちなみに、手摺取付部４３０では、図６のＢに示すように、支柱部４０がその軸周り方向に回転すると、手摺５０の組付孔５２の周縁が突出杆４４０の外周面をかじったり、支柱部４０自体に手摺５０が当たったりして、手摺５０が取付不能となる。
【００７２】
また、実施形態では、突出杆４４が、Ｌ字状であり、手摺取付部４３を利用してロープを張り渡すこととなっても、横杆部４５に巻き付けつつ張り渡せば、ストッパ片４８に加えて、縦杆部４６がロープの抜け止めを図ることができて、安定して、ロープを取り付けることもできる。
【００７３】
なお、図２の二点鎖線に示すように、各保持部２３，２８，３３には、止めねじ２５，３０，３５の配置位置近傍に、嵌挿時の支柱部４０の有無を確認可能な確認窓１１ａを開口させてもよい。
【００７４】
このような構成では、例えば、支柱部４０を保持部２３に嵌挿させた際、確認窓１１ａによって、止めねじ２５の部位まで支柱部４０が嵌挿されていることを確認できることから、確認後、止めねじ２５を締め付けることによって、確実に支柱部４０を保持部２３に保持させることができ、止めねじ２５の締め付け作業を効率的に行える。
【００７５】
また、図２の二点鎖線に示すように、押圧部１３の雄ねじ部１６には、蝶ナット等を固着させる等して、締め付け操作時に把持する操作部１６ａを設けてもよい。
【符号の説明】
【００７６】
１…縦向き挟持部位、１ａ…外側面、１ｂ…内側面、３…横向き挟持部位、
１０…スタンション、１１…クランプ部、１１ａ…確認窓、１２，１８…対向腕部、１３，１９…押圧部、２１…連結腕部、
２３，２８…縦向き用保持部、２３ａ，２８ａ…挿入口、２５，３０…止めねじ、２６，３１…位置決め部、３３…横向き用保持部、３３ａ…挿入口、３５…止めねじ、３６…位置決め部、
４０…支柱部、４１…本体部、４２…下端部、４３…手摺取付部、４４…突出杆、４５…横杆部、４６…縦杆部、４８…ストッパ片、
５０…手摺、５１…端部、５２…組付孔。
【図１】
0003178781.tif 000003
【図２】
0003178781.tif 000004
【図３】
0003178781.tif 000005
【図４】
0003178781.tif 000006
【図５】
0003178781.tif 000007
【図６】
0003178781.tif 000008